(57)【要約】【課題】通信の要求に応じて、ネットワークからの通信を有効化し、消費電力を抑える端末装置、通信システム及びプログラムを提供すること。【解決手段】第１の通信方法の通信部と第２の通信方法の通信部を備えるデュアルモードの端末装置であって、無効化されていて省エネモードの状態の第１の通信方法の通信部は、有効化されている第２の通信方法の通信部から送られた有効化コードを受けることで有効化されることを特徴とする端末装置である。【選択図】図１
2014179898.tif 000002
【特許請求の範囲】
【請求項１】
第１の通信方法の通信部と第２の通信方法の通信部を備えるデュアルモードの端末装置であって、
無効化されていて省エネモードの状態の第１の通信方法の通信部は、有効化されている第２の通信方法の通信部から送られた有効化コードを受けることで有効化されること
を特徴とする端末装置。
【請求項２】
第１の通信方法は３Ｇであり、第２の通信方法はＰＨＳであること
を特徴とする請求項１に記載の端末装置。
【請求項３】
第２の通信方法の通信部は、第２の通信方法のネットワークの管理装置から無線で送られた前記有効化コードを受信すること
を特徴とする請求項１に記載の端末装置。
【請求項４】
第１の通信方法の通信部と、第２の通信方法の通信部とを備えた端末装置と、第１の管理装置と、第２の管理装置と、を備える通信システムであって、
前記端末装置は、
前記第１の通信方法の通信部と前記第２の通信方法の通信部を備えるデュアルモードの端末装置であって、
無効化されていて省エネモードの状態の前記第１の通信方法の通信部は、有効化されている前記第２の通信方法の通信部から送られた有効化コードを受けることで有効化され、
前記第１の管理装置は、
前記第１の通信方法のネットワークに備えられ、他の端末装置から前記デュアルモードの端末装置へ、前記第１の通信方法のネットワークを利用した通信の要求があり、かつ、前記デュアルモードの端末装置が前記第１の通信方法のネットワークに在圏せず、前記第２の通信方法のネットワークにおける識別情報を有しているときは、前記第２の管理装置に、前記識別情報と、前記有効化コードとを送信し、
前記第２の管理装置は、
前記第２の通信方法のネットワークに備えられ、前記識別情報と、前記有効化コードとを受信すると、前記識別情報が示す前記端末装置へ、前記有効化コードを送信すること、
を特徴とする通信システム。
【請求項５】
第１の通信方法の通信部と第２の通信方法の通信部を備えるデュアルモードの端末装置のプログラムであって、
無効化されていて省エネモードの状態の第１の通信方法の通信部は、有効化されている第２の通信方法の通信部から送られた有効化コードを受けることで有効化される第１の過程
として機能させるためのプログラム。
【発明の詳細な説明】
【技術分野】
【０００１】
この発明は、端末装置、通信システム及びプログラムに関する。
【背景技術】
【０００２】
近年、ＰＨＳ（Personal Handy-phone System、登録商標）の移動体通信網であるＰＨＳネットワークと、第３世代移動体通信網である３Ｇ（3rd Generation）ネットワークとの両方を利用した携帯電話やスマートフォン等のデュアル携帯端末がある。デュアル携帯端末は、ＰＨＳネットワーク用と、３Ｇネットワーク用との２つの電話番号及びメールアドレスを持っており、どちらの電話番号に着信した音声通話も受信が可能となっている。
【０００３】
例えば、非特許文献１には、デュアル携帯端末の一例が掲載されている（非特許文献１参照）。
【先行技術文献】
【非特許文献】
【０００４】
【非特許文献１】[online]、[平成25年3月11日検索]、インターネット〈URL：http://www.willcom-inc.com/ja/lineup/wx/04k/index.html〉
【発明の概要】
【発明が解決しようとする課題】
【０００５】
ところで、非特許文献１に記載のデュアル携帯端末にあっては、ＰＨＳネットワークと、３Ｇネットワークとの両方からの着信待ち受けを実現するために、ＰＨＳネットワークの無線基地局と、３Ｇネットワークの無線基地局との両方と通信状態を確立し、定期的に通信を行う必要があるため、デュアル携帯端末ではない携帯端末と比較して、消費電力が大きくなるという問題がある。
【０００６】
そこで本発明は、上記従来技術の問題に鑑みてなされたものであり、通信の要求に応じて、ネットワークからの通信を有効化し、消費電力を抑える端末装置、通信システム及びプログラムを提供することにある。
【課題を解決するための手段】
【０００７】
この発明は、上記問題を解決するためになされたもので、本発明の一態様は、第１の通信方法の通信部と第２の通信方法の通信部を備えるデュアルモードの端末装置であって、  無効化されていて省エネモードの状態の第１の通信方法の通信部は、有効化されている第２の通信方法の通信部から送られた有効化コードを受けることで有効化されることを特徴とする端末装置である。
【発明の効果】
【０００８】
本発明によれば、通信の要求に応じて、ネットワークからの通信を有効化し、消費電力を抑える端末装置、通信システム及びプログラムを提供することができる。
【図面の簡単な説明】
【０００９】
【図１】第１の実施形態に係る通信システムの構成を示す概略ブロック図である。
【図２】第１の実施形態における端末装置が通信を確立するまでの動作を説明するシーケンス図である。
【図３】第２の実施形態に係る通信システムの構成を示す概略ブロック図である。
【図４】第２の実施形態における端末装置が通信を確立するまでの動作を説明するシーケンス図である。
【発明を実施するための形態】
【００１０】
[第１の実施形態]
以下、図面を参照して、第１の実施形態について説明する。
図１は、通信システム１の構成を示す概略ブロック図である。通信システム１は、端末装置１００、端末装置２００、ＰＨＳ（Personal Handy-phone System）ネットワーク１０、３Ｇ（3rd Generation）ネットワーク２０及び端末装置情報サーバ３００を含んで構成される。
【００１１】
端末装置１００は、一例として、板状の小型の筐体にコンピュータ本体としての処理機能を営むハードウェア及びソフトウェア、入力装置としてのタッチパネル、表示装置としてのディスプレイ、入出力装置としてのスピーカ、マイクロホン、その他に無線ＬＡＮ及び携帯電話の機能を備えたスマートフォンやタブレット端末である。また、端末装置１００は、タッチパネルを備え、その他に無線ＬＡＮ及び携帯電話の機能を備えたパーソナル・コンピュータであってもよいし、いわゆるフィーチャーフォン等の携帯電話端末であってもよい。
【００１２】
端末装置１００は、ＰＨＳ（Personal Handy-phone System、登録商標）専用の移動体通信網であるＰＨＳネットワーク１０を用いても、第３世代移動体通信網である３Ｇネットワーク２０を用いても、他の端末装置２００と通話することが可能なデュアルモードの端末装置である。ＰＨＳネットワーク１０の通信エリアは、半径５００メートル程度であるので、半径数キロメートルをカバーする３Ｇネットワーク２０の通信エリアに包含される。
【００１３】
端末装置１００は、ＰＨＳ通信部１０１及び３Ｇ通信部１０２を含んで構成される。ＰＨＳ通信部１０１は、１つの周波数帯において無線によりＰＨＳネットワーク１０の無線基地局装置の機能の一つであるＰＨＳ管理装置１１と接続され、そして３Ｇ通信部１０２は、別の周波数帯において無線により３Ｇネットワーク２０の無線基地局装置の機能の一つである３Ｇ管理装置２１と接続されている。
なお、本実施形態では、端末装置１００が、他の端末装置である端末装置２００から、３Ｇネットワーク２０を通して通信の要求を受けた場合を例にとって説明する。
また、本実施形態において、端末装置１００の３Ｇ通信部１０２は、通常、省電力モードとして無効化されているものとする。この無効化された状態は、例えば、３Ｇ通信部１０２の電源が切られた状態や、３Ｇ通信部の機能をＯＦＦにされた状態であるが、これに限定されない。なお、省電力モードになるのは、端末装置１００のバッテリーの残量が所定量以下となったときや、ユーザが指定したとき等、所定の条件を満たすときのみであってもよい。
【００１４】
端末装置２００は、３Ｇネットワーク２０を介して、端末装置１００に対する音声通話やメール送信等の通信の要求ができる端末装置であり、例えば、携帯電話や、携帯電話の機能を備えたスマートフォンやタブレット端末であるが、これ限定されない。端末装置２００は、ＰＨＳの機能を有しない端末であってもよい。
３Ｇネットワーク２０は、３Ｇ管理装置２１を含んで構成される。３Ｇ管理装置２１は、端末装置２００から、端末装置１００に対する通信の要求を受けると、端末装置情報サーバ３００に、端末装置１００が在圏している位置登録エリアを示す情報の取得を要求する。
【００１５】
ここで、この位置登録エリアを示す情報は、端末装置１００の３Ｇ通信部１０２が無効化されている場合、端末装置１００が３Ｇネットワーク２０の通信エリアに関して圏外であることを示す情報となっている。そのため、本実施形態の３Ｇ管理装置２１は、この位置登録エリアを示す情報として、圏外であることを示す情報を取得する。
３Ｇ管理装置２１は、上述の位置登録エリアを示す情報が圏外の場合、端末装置情報サーバ３００に、ＰＨＳネットワーク１０における端末装置１００の識別情報の取得を要求する。この識別情報は、例えば、電話番号でもよいし、電子メールアドレスでもよいが、これに限定されない。本実施形態において、この識別情報は、電子メールアドレスであるとする。
【００１６】
３Ｇネットワーク２０の３Ｇ管理装置２１は、ＰＨＳネットワーク１０における端末装置１００の識別情報を取得し、この識別情報が、ＰＨＳネットワーク１０における端末装置１００の識別情報が存在しないことを示す情報である場合、端末装置２００に対して、端末装置１００との通信ができない状態であることを通知する。
一方、３Ｇ管理装置２１が、ＰＨＳネットワーク１０における端末装置１００の識別情報として、ＰＨＳネットワーク１０における電子メールアドレスを取得する場合、この電子メールアドレスと後述する３Ｇ有効化コードとの両者を、有線又は無線によりＰＨＳネットワーク１０のＰＨＳ管理装置１１に送信する。この３Ｇ有効化コードは、端末装置１００のＰＨＳネットワーク１０のＰＨＳ通信部１０１に、３Ｇ通信部１０２を有効化させる処理を実行させるものである。
【００１７】
この本実施形態においては、この３Ｇ有効化コードは、文字列等の情報（以降、３Ｇ有効化コードという）であるとするが、これに限られず、所定の数値等でもよい。その後、３Ｇネットワーク２０の３Ｇ管理装置２１は、端末装置１００の３Ｇ通信部１０２から、接続の要求を受信するまで待機する。
【００１８】
ＰＨＳネットワーク１０のＰＨＳ管理装置１１は、３Ｇネットワーク２０の３Ｇ管理装置２１から、電子メールアドレスと３Ｇ有効化コードとを受信すると、この３Ｇ有効化コードを本文に書き込んだ電子メールを、その電子メールアドレスが示す端末装置１００に無線で送信する。
端末装置１００のＰＨＳ通信部１０１は、ＰＨＳ管理装置１１から電子メールを受信すると、その電子メールの本文に書き込まれた３Ｇ有効化コードに従って３Ｇ通信部１０２を有効化する。３Ｇ通信部１０２の有効化は、３Ｇ通信部１０２の電源を接続状態にすることや、３Ｇ通信部の機能をＯＮ状態にすることで行われる。しかし、これに限定されない。
端末装置１００の３Ｇ通信部１０２が有効化させられると、３Ｇネットワーク２０に、接続の要求を送信する。端末装置１００の３Ｇ通信部１０２は、３Ｇネットワーク２０から、接続の許可を通知されると、３Ｇネットワーク２０を通して、端末装置２００との通信を確立する。
【００１９】
図２は、端末装置１００のＰＨＳ通信部１０１が、ＰＨＳネットワーク１０のＰＨＳ管理装置１１から無線で、３Ｇ有効化コードを本文とする電子メールを受信することで、端末装置１００と端末装置２００とが通信を確立するまでの動作を説明するシーケンス図である。
端末装置２００は、３Ｇネットワーク２０の３Ｇ管理装置２１に対して無線で、３Ｇ通信部１０２との通信を要求する（ｓ１００）。端末装置２００は、３Ｇ管理装置２１から、３Ｇ通信部１０２との通信を許可する通知があるまで待機する（ｓ１０１）。
３Ｇ管理装置２１は、端末装置１００が存在する位置登録エリアを示す情報を取得する（ｓ１０２）。
【００２０】
３Ｇ管理装置２１は、位置登録エリアを示す情報として、端末装置１００が圏外であることを示す情報を取得する（ｓ１０３）。３Ｇ管理装置２１は、端末装置１００のＰＨＳネットワーク１０における電子メールアドレスを取得する（ｓ１０４）。３Ｇ管理装置２１は、その電子メールアドレスと３Ｇ有効化コードとをＰＨＳネットワーク１０のＰＨＳ管理装置１１に有線又は無線で送信する（ｓ１０５）。
【００２１】
ＰＨＳネットワーク１０のＰＨＳ管理装置１１は、本文に３Ｇ有効化コードが書き込まれた電子メールを端末装置１００のＰＨＳ通信部１０１に送信する（ｓ１０６）。ＰＨＳ通信部１０１は、３Ｇ通信部１０２を有効化する操作を行う（ｓ１０７）。３Ｇ通信部１０２は、有効化される（ｓ１０８）。３Ｇ通信部１０２は、３Ｇ管理装置２１に、端末装置２００との通信を要求する（ｓ１０９）。３Ｇ管理装置２１は、所定時間後に、３Ｇネットワーク２０の３Ｇ通信部１０２と携帯端末２００とに通信の許可を通知する（ｓ１１０）。端末装置１００と端末装置２００との間の通信(音声通話)が確立する（ｓ１１１）。
このように、第１の実施形態における通信システム１は、端末装置１００の識別情報、特に、３Ｇ有効化コードを本文とする電子メールを、３Ｇネットワーク２０の３Ｇ通信部１０２からのＰＨＳネットワーク１０のＰＨＳ通信部１０１に送信することにより、省電力モードで無効化されている３Ｇ通信部１０２を有効化する。従って、端末装置１００がデュアル携帯端末でありながら、端末装置１００の電力消費を大幅に抑えることができる。
【００２２】
[第２の実施形態]
図３に示す通信システム１ａは、端末装置１００、端末装置２００ａ、ＰＨＳネットワーク１０、３Ｇネットワーク２０及び端末装置情報サーバ３００を含んで構成される。
第２の実施形態の端末装置２００ａは、第１の実施形態の端末装置２００とは相違して、ＰＨＳの機能を専ら有する端末である。携帯端末２００ａは、３Ｇの携帯電話の機能を有しない端末であってもよい。また、第２の実施形態の端末装置１００、ＰＨＳネットワーク１０、３Ｇネットワーク２０及び端末装置情報サーバ３００は、第１の実施形態のものと同じであるので、同一の符号を付して示す。
第２の実施形態では、端末装置１００は、他の端末装置である端末装置２００ａから、ＰＨＳネットワーク１０を介して着信を受けた場合を説明する。また、本実施形態において、端末装置１００のＰＨＳ通信部１０１は、ＰＨＳネットワーク１０を介して端末装置２００から着信を受けた段階において、ＰＨＳ通信部１０１は、省電力モードとして無効化されているものとする。
【００２３】
端末装置２００は、ＰＨＳネットワーク１０を介して、端末装置１００に通信の要求ができる端末装置である。
ＰＨＳ管理装置１１は、端末装置２００から、端末装置１００に対する通信の要求を受けると、端末装置１００に対して一斉呼び出しを行うため、端末装置情報サーバ３００に、端末装置１００が在圏している位置登録エリアを示す情報の取得を要求する。
【００２４】
ここで、この位置登録エリアを示す情報は、端末装置１００のＰＨＳ通信部１０１が無効化されている場合、端末装置１００が圏外であることを示す情報となっている。そのため、本実施形態のＰＨＳネットワーク１０のＰＨＳ管理装置１１は、この位置登録エリアを示す情報として、圏外であることを示す情報を取得する。ＰＨＳ管理装置１１は、位置登録エリアを示す情報が圏外の場合、端末装置情報サーバ３００に、３Ｇネットワーク２０における端末装置１００の識別情報の取得を要求する。
【００２５】
ＰＨＳネットワーク１０のＰＨＳ管理装置１１は、３Ｇネットワーク２０における端末装置１００の識別情報を端末装置情報サーバ３００から取得し、この識別情報が、３Ｇネットワーク２０における端末装置１００の識別情報が存在しないことを示す情報だった場合、端末装置２００に、端末装置１００との通信ができない状態であることを通知する。
一方、ＰＨＳ１０のＰＨＳ管理装置１１は、３Ｇネットワーク２０における端末装置１００の識別情報として、電子メールアドレスを取得する場合、この電子メールアドレスと、後述するＰＨＳ有効化コードとを３Ｇネットワーク２０の３Ｇ管理装置２１に送信する。
【００２６】
このＰＨＳ有効化コードは、３Ｇ通信部１０２に、ＰＨＳ通信部１０１を有効化させる処理を実行させるものである。ＰＨＳ有効化コードは、本実施形態においては、文字列等の情報（以降、ＰＨＳ有効化コードという）であるとするが、これに限られず、所定の数値や、カラーコード等でもよい。その後、ＰＨＳネットワーク１０のＰＨＳ管理装置１１は、ＰＨＳ通信部１０１から、接続の要求を受信するまで待機する。
【００２７】
３Ｇネットワーク２０の３Ｇ管理装置２１は、ＰＨＳ管理装置１１から、電子メールアドレスとＰＨＳ有効化コードとを受信すると、このＰＨＳ有効化コードを本文に書き込んだ電子メールを、その電子メールアドレスが示す端末装置１００に送信する。
端末装置１００の３Ｇ通信部１０２は、３Ｇ管理装置２１から電子メールを受信すると、その電子メールの本文に書き込まれたＰＨＳ有効化コードに従い、ＰＨＳ通信部１０１を有効化させる。
端末１００のＰＨＳ通信部１０１は、３Ｇ通信部１０２の有効化に基づいて、ＰＨＳネットワーク１０に接続の要求を送信する。ＰＨＳ通信部１０１は、ＰＨＳネットワーク１０から、接続の許可を通知されると、ＰＨＳネットワーク１０を通して、端末装置２００との通信を確立する。
【００２８】
図４は、端末装置１００の３Ｇ通信部１０２が、３Ｇネットワーク２０の３Ｇ管理装置２１から無線で、ＰＨＳ有効化コードを本文とする電子メールを受信することで、端末装置１００と端末装置２００とが通信を確立するまでの動作を説明するシーケンス図である。
端末装置２００は、ＰＨＳネットワーク１０のＰＨＳ管理装置１１に対して無線で、ＰＨＳ通信部１０１との通信を要求する（ｓ２００）。端末装置２００は、ＰＨＳ管理装置１１から、ＰＨＳ通信部１０１との通信を許可する通知があるまで待機する（ｓ２０１）。
ＰＨＳ管理装置１１は、端末装置１００が存在する位置登録エリアを示す情報を取得する（ｓ２０２）。
【００２９】
ＰＨＳ管理装置１１は、位置登録エリアを示す情報として、端末装置１００が圏外であることを示す情報を取得する（ｓ２０３）。ＰＨＳ管理装置１１は、端末装置１００の３Ｇネットワーク２０における電子メールアドレスを取得する（ｓ２０４）。ＰＨＳ管理装置１１は、その電子メールアドレスとＰＨＳ有効化コードとを３Ｇネットワーク２０の３Ｇ管理装置２１に有線又は無線で送信する（ｓ２０５）。
【００３０】
３Ｇネットワーク２０の３Ｇ管理装置２１は、本文にＰＨＳ有効化コードが書き込まれた電子メールを端末装置１００の３Ｇ通信部１０２に送信する（ｓ２０６）。３Ｇ通信部１０２は、ＰＨＳ通信部１０１を有効化する操作を行う（ｓ２０７）。ＰＨＳ通信部１０１は、有効化される（ｓ２０８）。ＰＨＳ通信部１０１は、ＰＨＳ管理装置１１に、端末装置２００との通信を要求する（ｓ２０９）。ＰＨＳ管理装置１１は、所定時間後に、ＰＨＳネットワーク１０のＰＨＳ通信部１０１と携帯端末２００とに通信の許可を通知する（ｓ２１０）。端末装置１００と端末装置２００との間の通信(音声通話)が確立する（ｓ２１１）。
【００３１】
このように、３Ｇ通信部１０２と、ＰＨＳ通信部１０１との役割を、第１の実施形態と逆にし、３Ｇネットワーク２０と、ＰＨＳネットワーク１０との役割も、第１の実施形態と逆にすることで、第１の実施形態と同じ効果が得られる。
なお、ＰＨＳ通信部１０１は、３Ｇ通信部１０２と比べて、待機電力が低いため、３Ｇ通信部１０２を省電力モードで無効化する第１の実施形態の方が、第２の実施形態のものよりも消費電力を抑えることができる。
第１及び第２の実施形態において、端末装置は第１の通信方法の通信部と第２の通信方法の通信部とを備えるデュアルモードの端末装置であり、第１及び第２の通信方法は、３Ｇ及びＰＨＳであった。しかし、本発明の実施形態は、第１及び第２の通信方法として、ＬＴＥ（Ｌｏｎｇ−Ｔｅｒｍ  Ｅｖｏｌｕｔｉｏｎ）及び３Ｇを用いることができる。また、本発明の実施形態は、第１及び第２の通信方法として、ＷＬＡＮ（Ｗｉｒｅｌｅｓｓ  Ｌｏｃａｌ  Ａｒｅａ  Ｎｅｔｗｏｒｋ）及び３Ｇを用いることができる。
また、図１におけるＰＨＳ通信部１０１、３Ｇ通信部１０２、ＰＨＳ管理装置１１、３Ｇ管理装置２１それぞれの機能を実現するための個々のプログラムを、コンピュータ読み取り可能な記録媒体に記録して、この記録媒体に記録されたプログラムをコンピュータシステムに読み込ませ、実行することにより通信システムを実現してもよい。なお、ここでいう「コンピュータシステム」とは、ＯＳや周辺機器等のハードウェアを含むものとする。
【００３２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３３】
以上、この発明の実施形態を、図面を参照して詳述してきたが、具体的な構成はこの実施形態に限られるものではなく、この発明の要旨を逸脱しない範囲の設計変更等も含まれる。
【００３４】
（１）本発明の一態様は、第１の通信方法の通信部と第２の通信方法の通信部を備えるデュアルモードの端末装置であって、無効化されていて省エネモードの状態の第１の通信方法の通信部は、有効化されている第２の通信方法の通信部から送られた有効化コードを受けることで有効化されることを特徴とする端末装置である。
【００３５】
（２）また、本発明の他の態様は、第１の通信方法は３Ｇであり、第２の通信方法はＰＨＳであることを特徴とする（１）に記載の端末装置である。
（３）また、本発明の他の態様は、第２の通信方法の通信部は、第２の通信方法のネットワークの管理装置から無線で送られた前記有効化コードを受信することを特徴とする（１）に記載の端末装置である。
【００３６】
（４）また、本発明の他の態様は、前記有効化コードは、第１の通信方法のネットワークの管理装置から第２の通信方法のネットワークの管理装置を介して送信されたものであることを特徴とする（１）に記載の端末装置である。
（５）また、本発明の他の態様は、前記有効化コードは、前記ＳＭＳ、あるいは、前記電子メールの本文に書かれた、前記第１の通信部を有効化させるための文字列、数値のうち少なくともいずれか一方であることを特徴とする（１）、（３）、（４）のうちのいずれか一項に記載の端末装置である。
【００３７】
（６）また、本発明の他の態様は、第１の通信方法の通信部と、第２の通信方法の通信部とを備えた端末装置と、第１の管理装置と、第２の管理装置と、端末装置情報サーバと、を備える通信システムであって、前記第１の管理装置は、前記第１の通信方法のネットワークに備えられ、他の端末装置から前記端末装置へ、前記第１の通信方法のネットワークを利用した通信の要求があり、かつ、前記端末装置が前記第１の通信方法のネットワークに在圏せず、前記第２の通信方法のネットワークにおける識別情報を有しているときは、前記第２の管理装置に、前記識別情報と、前記第１の通信部を有効化させる要求とを送信し、前記第２の管理装置は、前記第２の通信方法のネットワークに備えられ、前記識別情報と、前記第１の通信部を有効化させる要求とを受信すると、前記識別情報が示す前記端末装置へ、前記第１の通信部を有効化させる要求を送信し、前記端末装置は、前記第１の通信方法の通信部と前記第２の通信方法の通信部を備えるデュアルモードの端末装置であって、無効化されていて省エネモードの状態の前記第１の通信方法の通信部は、有効化されている前記第２の通信方法の通信部から送られた有効化コードを受けることで有効化されることを特徴とする通信システムである。
【００３８】
（７）また、本発明の他の態様は、前記識別情報は、ＳＭＳ（Short Message Service）、電子メールのうち、少なくともいずれか一つを送信するためのアドレスであることを特徴とする（６）に記載の通信システムである。
（８）また、本発明の他の態様は、第１の通信方法の通信部と第２の通信方法の通信部を備えるデュアルモードの端末装置のプログラムであって、無効化されていて省エネモードの状態の第１の通信方法の通信部は、有効化されている第２の通信方法の通信部から送られた有効化コードを受けることで有効化される第１の過程として機能させるためのプログラムである。
【産業上の利用可能性】
【００３９】
本発明は、端末装置の消費電力が大きくなることを防ぐ際に好適に用いられるが、これに限られない。
【符号の説明】
【００４０】
１０・・・ＰＨＳネットワーク  １１・・・ＰＨＳ管理装置  ２０・・・３Ｇネットワーク  ２１・・・３Ｇ管理装置  ９０・・・通信システム  １００・・・端末装置  １０１・・・ＰＨＳ通信部  １０２・・・３Ｇ通信部  ２００・・・端末装置  ３００・・・端末装置情報サーバ
【図１】
2014179898.tif 000003
【図２】
2014179898.tif 000004
【図３】
2014179898.tif 000005
【図４】
2014179898.tif 000006